(57)【特許請求の範囲】
【請求項１】
避難口に繋がる通路の所定の箇所に分散配置され、該配置箇所における異常をそれぞれ検知する複数の異常検知センサと、
前記通路を複数の単位通路に分割し、該単位通路に対応して複数の発光装置をそれぞれ該単位通路に沿ってライン状に配列した複数の単位表示装置と、
前記単位表示装置に対応してそれぞれ設けられ、前記複数の異常検知センサの内の異常を検知した１または複数の異常検知センサに対応して、該異常を検知した異常個所から遠ざかる方向でかつ非常口に近づく方向を前記複数の単位表示装置のそれぞれの誘導方向として記憶する記憶装置と、
前記発光装置にそれぞれ対応して設けられ、前記単位通路の床面、側面、若しくは側面に取り付けられた手摺にライン状に配置される発光素子列と、
前記複数の単位表示装置に対応してそれぞれ設けられ、前記異常検知センサの異常検知に対応して前記記憶装置から取得した前記誘導方向に基づき該単位表示装置の複数の発光装置のそれぞれの発光素子列の発光素子を該誘導方向にしたがって順次繰り返し点灯するようにそれぞれ制御する複数の単位制御装置と、
を具備することを特徴とする避難誘導システム。
【請求項２】
前記異常検知センサは、温度検知センサ、煙検知センサのいずれか、若しくはその組み合わせを含むことを特徴とする請求項１に記載の避難誘導システム。
【発明の詳細な説明】
【技術分野】
【０００１】
この発明は、避難誘導システムに関し、特に、火災等の発生に際して被誘導者を最適な誘導路に沿って安全かつ迅速に誘導することができるようにした避難誘導システムに関する。
【背景技術】
【０００２】
従来、火災等の発生時に被誘導者を安全に案内する案内システムとしては、特許文献１に開示されたもの等が知られている。
【０００３】
この特許文献１には、建物の避難通路の避難口１００迄の間に、所定の間隔で、誘導灯１，２，３，・・及びスピーカー１１，１２，１３，・・を取付け、又火災が発生し自火報盤装置２０の接点がオンすると、該接点にて、避難口１００迄の間に取り付けた誘導灯１，２，３，・・を避難口１００に向かって順次所定の時間点灯することを繰り返すと共に、避難口１００迄の間に取り付けたスピーカー１１，１２，１３，・・より避難口１００に向かって順次所定の時間誘導音を送出させることを繰り返すようにした誘導灯点灯誘導音発生装置が記載されている。
【先行技術文献】
【特許文献】
【０００４】
【特許文献１】特開平５−１３５２８６号公報
【発明の概要】
【発明が解決しようとする課題】
【０００５】
しかしながら、特許文献１に開示された誘導灯点灯誘導音発生装置においては、火災等が発生した箇所に対応して最適な避難誘導を行うことができず、また、誘導灯を増加すると、これに伴ってシステムの構成を変更する必要が有るため、拡張性に問題があり、かつ高価になるという問題があった。
【０００６】
そこで、この発明は、火災等の異常発生に際して、被誘導者を最適な誘導路に沿って安全かつ迅速に誘導することができる避難誘導システムを提供することを目的とする。
【課題を解決するための手段】
【０００７】
上記目的を達成するため、請求項１の発明の避難誘導システムは、避難口に繋がる通路の所定の箇所に分散配置され、該配置箇所における異常をそれぞれ検知する複数の異常検知センサと、前記通路を複数の単位通路に分割し、該単位通路に対応して複数の発光装置をそれぞれ該単位通路に沿ってライン状に配列した複数の単位表示装置と、前記単位表示装置に対応してそれぞれ設けられ、前記複数の異常検知センサの内の異常を検知した１または複数の異常検知センサに対応して、該異常を検知した異常個所から遠ざかる方向でかつ非常口に近づく方向を前記複数の単位表示装置のそれぞれの誘導方向として記憶する記憶装置と、前記発光装置にそれぞれ対応して設けられ、前記単位通路の床面、側面、若しくは側面に取り付けられた手摺にライン状に配置される発光素子列と、前記複数の単位表示装置に対応してそれぞれ設けられ、前記異常検知センサの異常検知に対応して前記記憶装置から取得した前記誘導方向に基づき該単位表示装置の複数の発光装置のそれぞれの発光素子列の発光素子を該誘導方向にしたがって順次繰り返し点灯するようにそれぞれ制御する複数の単位制御装置と、を具備することを特徴とする。
【０００８】
請求項２の発明は、請求項１の発明において、前記異常検知センサは、温度検知センサ、煙検知センサのいずれか、若しくはその組み合わせを含むことを特徴とする。
【発明の効果】
【００１１】
この発明によれば、避難口に繋がる通路の所定の箇所に分散配置され、該配置箇所における異常をそれぞれ検知する複数の異常検知センサと、前記通路を複数の単位通路に分割し、該単位通路に対応して複数の発光装置をそれぞれ該単位通路に沿ってライン状に配列した複数の単位表示装置と、前記単位表示装置に対応してそれぞれ設けられ、前記複数の異常検知センサの内の異常を検知した１または複数の異常検知センサに対応して、該異常を検知した異常個所から遠ざかる方向でかつ非常口に近づく方向を前記複数の単位表示装置のそれぞれの誘導方向として記憶する記憶装置と、前記発光装置にそれぞれ対応して設けられ、前記単位通路の床面、側面、若しくは側面に取り付けられた手摺にライン状に配置される発光素子列と、前記複数の単位表示装置に対応してそれぞれ設けられ、前記異常検知センサの異常検知に対応して前記記憶装置から取得した前記誘導方向に基づき該単位表示装置の複数の発光装置のそれぞれの発光素子列の発光素子を該誘導方向にしたがって順次繰り返し点灯するようにそれぞれ制御する複数の単位制御装置と、を具備して構成したので、簡単な構成により、火災発生等の異常発生に際して、被誘導者を最適な誘導路に沿って安全、確実、かつ迅速に誘導することができる避難誘導システムを提供することができる。
【図面の簡単な説明】
【００１２】
【図１】図１は、この発明が適用される避難誘導システムにおける避難誘導路の一例を示す図である。
【図２】図２は、図１に示した避難誘導システムの一構成例を示すブロック図である。
【図３】図３は、図２に示した避難誘導システムで採用される誘導方向を予め設定して記憶する記憶装置の記憶内容の一例を示す表である。
【図４】図４は、図３に示した避難誘導システムにおける誘導例を示す図である。
【図５】図５は、図３に示した避難誘導システムにおける他の誘導例を示す図である。
【図６】図６は、図３に示した主制御装置の動作を説明するフローチャートである。
【図７】図７は、図３に示した単位制御装置の動作を説明するフローチャートである。
【発明を実施するための形態】
【００１３】
以下、この発明に係わる避難誘導システムの実施例を添付図面を参照して詳細に説明する。
【００１４】
図１は、この発明が適用される避難誘導システムにおける避難誘導路の一例を示す図である。
【００１５】
図１に示す避難誘導システムは、例えば、大規模店舗、病院、各種施設等に適用可能である。
【００１６】
図１において、この避難誘導システムの誘導エリア１０には、非常口（避難口）２０−１、２０−２が設けられており、この非常口２０−１、２０−２に繋がる通路の所定の箇所には、火災等の異常発生を検知する複数の異常検知センサＳ１〜Ｓ９が配置されている。
【００１７】
この異常検知センサＳ１〜Ｓ９としては、温度検知センサ、煙検知センサのいずれか、若しくはその組み合わせを含むことで構成することができ、この異常検知センサＳ１〜Ｓ９は、誘導エリア１０内の複数の通路の天井等に配置される。
【００１８】
また、この避難誘導システムにおいて、非常口２０−１、２０−２に繋がる通路は、複数の単位通路３０−１〜３０−１１に分割されており、分割された各単位通路３０−１〜３０−１１には、該単位通路３０−１〜３０−１１に沿ってそれぞれライン状に配列された複数の発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４からなる複数の単位表示装置４０−１〜４０−１１が設けられている。
【００１９】
ここで、各発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４は、それぞれ各単位通路３０−１〜３０−１１に沿って配列された複数の発光素子列から構成することができる。この発光素子列は、単位通路３０−１〜３０−１１の床面、側面、若しくは側面に取り付けられた手摺等に配置される。
【００２０】
図２は、図１に示した避難誘導システムの一構成例を示すブロック図で示したものであり、図３は、図２に示した避難誘導システムで採用される誘導方向を予め設定して記憶する記憶装置の記憶内容の一例を示す表である。
【００２１】
図２において、この避難誘導システム１００の記憶装置１２０には、図３に示すように、複数の異常検知センサＳ１〜Ｓ９の内のどの異常検知センサで異常を検知したかに対応して、複数の単位表示装置４０−１〜４０−１１のそれぞれの誘導方向「１」、「２」を予め設定して記憶している。
【００２２】
ここで、誘導方向「１」は、発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を昇順、例えば、単位表示装置４０−１の場合は、発光装置Ｌ１１、Ｌ１２、Ｌ１３，Ｌ１４の順で繰り返し順次点灯することを示し、誘導方向「２」は、発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を降順、例えば、単位表示装置４０−１の場合は、発光装置Ｌ１４、Ｌ１３、Ｌ１２，Ｌ１１の順で繰り返し順次点灯することを示している。
【００２３】
図３に示す記憶装置１２０の記憶内容は、図１に示す誘導エリア１０に対応するもので、この誘導エリア１０が異なれば、その記憶内容もそれに対応して異なる。
【００２４】
ここで、図３に示す記憶装置１２０に記憶される各単位表示装置４０−１〜４０−１１のそれぞれの誘導方向「１」、「２」は、
１）異常検知センサＳ１〜Ｓ９による異常検知位置から遠ざかる方向
２）非常口２０−１、２０−２に近づく方向
の２つの条件を満たす方向に設定されている。
【００２５】
なお、図３には、複数の異常検知センサＳ１〜Ｓ９の１つの異常検知センサＳ１〜Ｓ９に対応して、複数の単位表示装置４０−１〜４０−１１のそれぞれの誘導方向「１」、「２」を予め設定して記憶しているが、複数の異常検知センサＳ１〜Ｓ９の２またはそれ以上の異常検知センサＳ１〜Ｓ９に対応して、複数の単位表示装置４０−１〜４０−１１のそれぞれの誘導方向「１」、「２」を予め設定して記憶するように構成してもよい。
【００２６】
さて、図２において、この避難誘導システム１００は、複数の異常検知センサＳ１〜Ｓ９の異常検知出力に基づき、複数の単位表示装置４０−１〜４０−１１のそれぞれの発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を、記憶装置１２０に記憶した図３に示す誘導方向「１」または「２」に対応して順次点灯し、これを繰り返すことにより、被誘導者の避難誘導を行う。
【００２７】
図３において、複数の異常検知センサＳ１〜Ｓ９の検知出力は、主制御装置１１０に入力される。主制御装置１１０は、この入力された異常検知センサＳ１〜Ｓ９の検知出力に基づき、記憶装置１２０にアクセスして、異常を検知した異常検知センサＳ１〜Ｓ９に対応する各単位表示装置４０−１〜４０−１１のそれぞれの誘導方向「１」または「２」を記憶装置１２０から取得する。
【００２８】
そして、主制御装置１１０は、この記憶装置１２０から取得した各単位表示装置４０−１〜４０−１１のそれぞれの誘導方向「１」または「２」を各単位表示装置４０−１〜４０−１１に対応する各単位制御装置１３０−１〜１３０−１１にそれぞれ通知する。
【００２９】
各単位制御装置１３０−１〜１３０−１１は、主制御装置１１０から通知された誘導方向「１」または「２」に基づき、各単位表示装置４０−１〜４０−１１の各発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を、通知された誘導方向「１」または「２」に順次繰り返し点灯するように制御する。
【００３０】
これにより、誘導エリア１０内の図示しない被誘導者は、この順次繰り返し点灯される各発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を辿っていけば、最適な誘導路に沿って非常口２０−１、２０−２に到達することができる。
【００３１】
図４は、図２に示した避難誘導システム１００における被誘導者の誘導例を示す図である。
【００３２】
図４においては、異常検知センサＳ１〜Ｓ９の内の異常検知センサＳ３で異常を検知した場合を示している。
【００３３】
図２に示す記憶装置１２０には、図３に示すように、異常検知センサＳ３に対応して、単位表示装置４０−１の誘導方向は「２」、単位表示装置４０−２の誘導方向は「２」、単位表示装置４０−３の誘導方向は「２」、単位表示装置４０−４の誘導方向は「２」、単位表示装置４０−５の誘導方向は「１」、単位表示装置４０−６の誘導方向は「２」、単位表示装置４０−７の誘導方向は「１」、単位表示装置４０−８の誘導方向は「２」、単位表示装置４０−９の誘導方向は「１」、単位表示装置４０−１０の誘導方向は「１」、単位表示装置４０−１１の誘導方向は「１」が記憶されている。
【００３４】
主制御装置１１０は、異常検知センサＳ３の異常検知に対応して、記憶装置１２０から異常検知センサＳ３に対応する上記各単位表示装置４０−１〜４０−１１の誘導方向「１」または「２」を取得する。そして、単位制御装置１３０−１に誘導方向「２」、単位制御装置１３０−２に誘導方向「２」、単位制御装置１３０−３に誘導方向「２」、単位制御装置１３０−４に誘導方向「２」、単位制御装置１３０−５に誘導方向「１」、単位制御装置１３０−６に誘導方向「２」、単位制御装置１３０−７に誘導方向「１」、単位制御装置１３０−８に誘導方向「２」、単位制御装置１３０−９に誘導方向「１」、単位制御装置１３０−１０に誘導方向「１」、単位制御装置１３０−１１誘導方向「１」を通知する。
【００３５】
これにより、各単位制御装置１３０−１〜１３０−１１は、図４に矢印で示すように、単位表示装置４０−１の発光装置Ｌ１１〜Ｌ１４を降順に順次点灯し、単位表示装置４０−２の発光装置Ｌ２１〜Ｌ２４を降順に順次点灯し、単位表示装置４０−３の発光装置Ｌ３１〜Ｌ３４を降順に順次点灯し、単位表示装置４０−４の発光装置Ｌ４１〜Ｌ４４を降順に順次点灯し、単位表示装置４０−５の発光装置Ｌ５１〜Ｌ５４を昇順に順次点灯し、単位表示装置４０−６の発光装置Ｌ６１〜Ｌ６４を降順にに順次点灯し、単位表示装置４０−７の発光装置Ｌ７１〜Ｌ７４を昇順に順次点灯し、単位表示装置４０−８の発光装置Ｌ８１〜Ｌ８４を降順に順次点灯し、単位表示装置４０−９の発光装置Ｌ９１〜Ｌ９４を昇順に順次点灯し、単位表示装置４０−１０の発光装置Ｌ１０１〜Ｌ１０４を昇順に順次点灯し、単位表示装置４０−１１の発光装置Ｌ１１１〜Ｌ１１４を昇順に順次点灯し、これらの動作を繰り返す。
【００３６】
このような異常検知センサＳ３で異常を検知した場合の各単位表示装置４０−１〜４０−１１の各発光装置Ｌ１１〜Ｌ１１４の順次点灯制御により、被誘導者を最適な通路に沿って案内誘導することが可能になる。
【００３７】
図５は、図２に示した避難誘導システム１００における他の誘導例を示す図である。
【００３８】
図５においては、異常検知センサＳ１〜Ｓ９の内の異常検知センサＳ８で異常を検知した場合を示している。
【００３９】
図２に示す記憶装置１２０には、図３に示すように、異常検知センサＳ８に対応して、単位表示装置４０−１の誘導方向は「２」、単位表示装置４０−２の誘導方向は「２」、単位表示装置４０−３の誘導方向は「２」、単位表示装置４０−４の誘導方向は「２」、単位表示装置４０−５の誘導方向は「１」、単位表示装置４０−６の誘導方向は「２」、単位表示装置４０−７の誘導方向は「１」、単位表示装置４０−８の誘導方向は「２」、単位表示装置４０−９の誘導方向は「１」、単位表示装置４０−１０の誘導方向は「２」、単位表示装置４０−１１の誘導方向は「１」が記憶されている。
【００４０】
主制御装置１１０は、異常検知センサＳ８の異常検知に対応して、記憶装置１２０から異常検知センサＳ８に対応する上記各単位表示装置４０−１〜４０−１１の誘導方向「１」または「２」を取得する。そして、主制御装置１１０は、単位制御装置１３０−１に誘導方向「２」、単位制御装置１３０−２に誘導方向「２」、単位制御装置１３０−３に誘導方向「２」、単位制御装置１３０−４に誘導方向「２」、単位制御装置１３０−５に誘導方向「１」、単位制御装置１３０−６に誘導方向「２」、単位制御装置１３０−７に誘導方向「１」、単位制御装置１３０−８に誘導方向「２」、単位制御装置１３０−９に誘導方向「１」、単位制御装置１３０−１０に誘導方向「２」、単位制御装置１３０−１１誘導方向「１」を通知する。
【００４１】
これにより、各単位制御装置１３０−１〜１３０−１１は、図５に矢印で示すように、単位表示装置４０−１の発光装置Ｌ１１〜Ｌ１４を降順に順次点灯し、単位表示装置４０−２の発光装置Ｌ２１〜Ｌ２４を降順に順次点灯し、単位表示装置４０−３の発光装置Ｌ３１〜Ｌ３４を降順に順次点灯し、単位表示装置４０−４の発光装置Ｌ４１〜Ｌ４４を降順に順次点灯し、単位表示装置４０−５の発光装置Ｌ５１〜Ｌ５４を昇順に順次点灯し、単位表示装置４０−６の発光装置Ｌ６１〜Ｌ６４を降順に順次点灯し、単位表示装置４０−７の発光装置Ｌ７１〜Ｌ７４を昇順に順次点灯し、単位表示装置４０−８の発光装置Ｌ８１〜Ｌ８４を降順に順次点灯し、単位表示装置４０−９の発光装置Ｌ９１〜Ｌ９４を昇順に順次点灯し、単位表示装置４０−１０の発光装置Ｌ１０１〜Ｌ１０４を降順に順次点灯し、単位表示装置４０−１１の発光装置Ｌ１１１〜Ｌ１１４を昇順に順次点灯し、これらの動作を繰り返すように制御する。
【００４２】
このような異常検知センサＳ８で異常を検知した場合の各単位表示装置４０−１〜４０−１１の各発光装置Ｌ１１〜Ｌ１１４の順次点灯制御により、被誘導者を最適な通路に沿って案内誘導することが可能になる。
【００４３】
なお、他の異常検知センサＳ１〜Ｓ９で異常を検知した場合の動作も同様である。
【００４４】
図６は、図２に示した主制御装置１１０の動作を説明するフローチャートである。
【００４５】
図２に示した主制御装置１１０の制御が開始されると、まず、異常検知センサＳ１〜Ｓ９のいずれかで異常が検知されたかを調べる（ステップ６０１）。ここで、異常検知センサＳ１〜Ｓ９で異常が検知されていないと（ステップ６０１でＮＯ）、ステップ６０１に戻って、異常検知センサＳ１〜Ｓ９のいずれかで異常が検知されるのを待つ。
【００４６】
ステップ６０１で、異常検知センサＳ１〜Ｓ９のいずれかで異常が検知されるたと判断されると（ステップ６０１でＹＥＳ）、避難誘導モードをセットし（ステップ６０２）、異常を検知した異常検知センサＳ１〜Ｓ９に対応して記憶装置１２０に記憶されている各単位表示装置４０−１〜４０−１１に対応する誘導方向「１」または「２」を取得する（ステップ６０３）。
【００４７】
そして、記憶装置１２０から取得した各単位表示装置４０−１〜４０−１１に対応する誘導方向「１」または「２」を各単位表示装置４０−１〜４０−１１に対応する各単位制御装置１３０−１〜１３０−１１に通知する（ステップ６０４）。
【００４８】
これにより、次に図７で説明する各単位制御装置１３０−１〜１３０−１１の避難誘導制御が開始される。
【００４９】
主制御装置１１０では、この状態で、次に、避難誘導モードが解除されたかを調べ（ステップ６０５）、避難誘導モードが解除されていない場合は（ステップ６０５でＮＯ）、ステップ６０５に戻り、避難誘導モードが解除されるのを待つが、避難誘導モードが解除されたと判断されると（ステップ６０５でＹＥＳ）、各単位制御装置１３０−１〜１３０−１１に対して発光停止を通知し（ステップ６０６）、この主制御装置１１０の制御を終了する。
【００５０】
なお、避難誘導モードの解除は、例えば、異常状態が解消された後、管理者等に安全が確認された後、手動で行われる。
【００５１】
図７は、図２に示した単位制御装置１３０−１〜１３０−１１の動作を説明するフローチャートである。
【００５２】
図２に示した各単位制御装置１３０−１〜１３０−１１は、主制御装置１１０からの誘導方向通知に基づき対応する単位表示装置４０−１〜４０−１１の複数の発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４の順次点灯制御を行う。
【００５３】
各単位制御装置１３０−１〜１３０−１１は、まず、主制御装置１１０からの誘導方向通知を受信したかを調べる（ステップ７０１）。ここで、主制御装置１１０からの誘導方向通知を受信していないと判断されると（ステップ７０１でＮＯ）、ステップ７０１に戻り、主制御装置１１０からの誘導方向通知の受信を待つ。
【００５４】
ステップ７０１で、主制御装置１１０からの誘導方向通知を受信したと判断すると（ステップ７０１でＹＥＳ）、対応する単位表示装置４０−１〜４０−１１の複数の発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を、主制御装置１１０から通知された誘導方向「１」または「２」に基づき順次繰り返し点灯する制御が行われる。
【００５５】
これにより誘導エリア１０内の図示しない被誘導者を単位通路３０−１〜３０−１１に沿って非常口２０−１、２０−２に案内することができる。
【００５６】
この状態で、各単位制御装置１３０−１〜１３０−１１は、主制御装置１１０からの発光停止通知を受けたかを調べる（ステップ７０３）。ここで、主制御装置１１０からの発光停止通知を受けていない場合は（ステップ７０３でＮＯ）、ステップ７０２に戻り、表示装置４０−１〜４０−１１の複数の発光装置Ｌ１１〜Ｌ１４、Ｌ２１〜Ｌ２４、Ｌ３１〜Ｌ３４、Ｌ４１〜Ｌ４４、Ｌ５１〜Ｌ５４、Ｌ６１〜Ｌ６４、Ｌ７１〜Ｌ７４、Ｌ８１〜Ｌ８４、Ｌ９１〜Ｌ９４、Ｌ１０１〜Ｌ１０４、Ｌ１１１〜Ｌ１１４を、主制御装置１１０から通知された誘導方向に基づき順次繰り返し点灯する制御を続ける。
【００５７】
そして、ステップ７０３で、主制御装置１１０からの発光停止通知を受けたと判断すると（ステップ７０３でＹＥＳ）、対応する単位表示装置４０−１〜４０−１１の発光を停止してこの単位制御装置１３０−１〜１３０−１１による表示装置４０−１〜４０−１１の制御を終了する。
【００５８】
なお、本発明は上述の実施形態に限定されるものではなく、本発明の技術的思想の範囲内であれば、当業者の通常の創作能力によって多くの変形が可能である。
【００５９】
例えば、上記実施例では、各単位通路３０−１〜３０−１１内に設けられる各単位表示装置４０−１〜４０−１１内の発光装置の数を４個にして説明したが、この数は５個以上でもよく、また、２個または３個でもよい。
【００６０】
また、各単位表示装置４０−１〜４０−１１内の発光装置の数は、それぞれ同一の数としたが、それぞれ異なるように設定してもよい。
【００６１】
また、上記実施例では、主制御装置１１０と複数の単位制御装置１３０−１〜１３０−１１を用いて構成したが、複数の単位制御装置１３０−１〜１３０−１１のそれぞれに記憶装置１２０を設けることにより、主制御装置１１０の機能を持たせることにより、主制御装置１１０を省略してもよい。この場合、記憶装置１２０はディップスイッチ群を用いて構成することができる。
【産業上の利用可能性】
【００６２】
この発明は、大規模店舗内、病院内、空港内、各種展示会場内等で火災等の異常が発生した場合の避難誘導に利用可能である。この発明によれば、避難口に繋がる通路の所定の箇所に分散配置され、該配置箇所における異常をそれぞれ検知する複数の異常検知センサと、前記通路を複数の単位通路に分割し、該単位通路に対応して複数の発光装置をそれぞれ該単位通路に沿ってライン状に配列した複数の単位表示装置と、前記複数の異常検知センサの内のどの異常検知センサで異常を検知したかに対応して、前記複数の単位表示装置のそれぞれの誘導方向を予め設定して記憶する記憶装置と、前記記憶装置の記憶誘導方向に対応して前記単位表示装置の複数の発光装置を順次点灯するようにそれぞれ制御する制御装置とを具備して構成したので、非常に安価な構成で被誘導者を安全かつ適切に避難誘導することが可能になる。
【符号の説明】
【００６３】
１０    誘導エリア
２０−１、２０−２    非常口（避難口）
３０−１〜３０−１１    単位通路
４０−１〜４０−１１    単位表示装置
１００    避難誘導システム
１１０    主制御装置
１２０    記憶装置
１３０−１〜１３０−１１    単位制御装置
Ｓ１〜Ｓ９    異常検知センサ
Ｌ１１〜Ｌ１１４    発光装置
【図１】
0005850578.tif 000002
【図２】
0005850578.tif 000003
【図３】
0005850578.tif 000004
【図４】
0005850578.tif 000005
【図５】
0005850578.tif 000006
【図６】
0005850578.tif 000007
【図７】
0005850578.tif 000008